(57)【要約】      （修正有）【課題】好ましい安全保護効果を発揮することができる距離警告板及び距離警告装置を提供する。【解決手段】２つのフレーム１，１及び警告装置２を含む。２つのフレーム１，１は板状本体１１と、板状本体１１に接続されており、内部に枢支孔が形成されている枢支ホルダ１２とをそれぞれ有する。警告装置２は、２つのフレームの枢支孔に枢設されるケーシング２１と、ケーシング２１の内部に設けられており、回路基板、距離検知素子２２２、音声発生素子及び発光素子を含む回路ユニットとを含み、回路基板は電源に電気的に接続され、距離検知素子、音声発生素子及び発光素子は回路基板に電気的に接続され、距離検知素子２２２はケーシング２１に露出する。これにより、好ましい安全保護効果を発揮することができると共に、警告装置２を分離させて単独で使用することができる。【選択図】図２
0003191379.tif 000002
【実用新案登録請求の範囲】
【請求項１】
板状本体と、前記板状本体に接続されており、枢支孔が形成されている枢支ホルダとをそれぞれ有する２つのフレームと、
前記２つのフレームの前記枢支孔に枢設されるケーシングと、前記ケーシングの内部に設けられており、回路基板、距離検知素子、音声発生素子及び発光素子を含む回路ユニットとを含む警告装置と、
を含み、
前記回路基板は電源に電気的に接続され、
前記距離検知素子、前記音声発生素子及び前記発光素子は前記回路基板に電気的に接続され、
前記距離検知素子は前記ケーシングに露出することを特徴とする距離警告板。
【請求項２】
前記ケーシングは、中間部と、一端が前記中間部の両端に接続される２つの枢支部と、一端が前記２つの枢支部の他端に接続される２つの端部とを有し、
前記ケーシングの前記２つの枢支部は前記２つのフレームの前記枢支孔に挿設されることを特徴とする請求項１に記載の距離警告板。
【請求項３】
前記発光素子は２つ設けられており、
前記２つの端部は透光部材であり、
前記２つの発光素子は前記２つの端部の内部に設けられることを特徴とする請求項２に記載の距離警告板。
【請求項４】
前記電源は、前記ケーシングの前記中間部、前記枢支部又は前記端部に収容されることを特徴とする請求項２に記載の距離警告板。
【請求項５】
前記中間部には、前記電源が収容される電池室が延在形成され、
前記電池室は柱状の挿入接続部として形成されることを特徴とする請求項２に記載の距離警告板。
【請求項６】
前記ケーシングは、前記２つのフレームの前記枢支孔に挿設される２つの枢支部を有することを特徴とする請求項１に記載の距離警告板。
【請求項７】
前記距離検知素子は２つ設けられており、２つの前記距離検知素子は前記ケーシングの前側及び後側に露出することを特徴とする請求項１に記載の距離警告板。
【請求項８】
前記回路基板は、三角柱状であり、３つの取付面を有し、
前記距離検知素子は３つ設けられており、３つの前記距離検知素子はそれぞれ前記回路基板の前記３つの取付面に設けられることを特徴とする請求項１に記載の距離警告板。
【請求項９】
ケーシングと、
前記ケーシングの内部に設けられており、回路基板、距離検知素子、音声発生素子及び発光素子を含む回路ユニットと、
を含み、
前記回路基板は電源に電気的に接続され、
前記距離検知素子、前記音声発生素子及び前記発光素子は前記回路基板に電気的に接続され、
前記距離検知素子は前記ケーシングに露出することを特徴とする距離警告装置。
【請求項１０】
前記ケーシングは、中間部と、一端が前記中間部の両端に接続される２つの枢支部と、一端が前記２つの枢支部の他端に接続される２つの端部とを有することを特徴とする請求項９に記載の距離警告装置。
【請求項１１】
前記発光素子は２つ設けられており、
前記２つの端部は透光部材であり、
前記２つの発光素子は前記２つの端部の内部に設けられることを特徴とする請求項１０に記載の距離警告装置。
【請求項１２】
前記電源は、前記ケーシングの前記中間部、前記枢支部又は前記端部に収容されることを特徴とする請求項１０に記載の距離警告装置。
【請求項１３】
前記中間部には、前記電源が収容される電池室が延在形成され、
前記電池室は柱状の挿入接続部として形成されることを特徴とする請求項１０に記載の距離警告装置。
【請求項１４】
前記ケーシングは、２つの枢支部を有することを特徴とする請求項９に記載の距離警告装置。
【請求項１５】
前記距離検知素子は２つ設けられており、２つの前記距離検知素子は前記ケーシングの前側及び後側に露出することを特徴とする請求項９に記載の距離警告装置。
【請求項１６】
前記回路基板は、三角柱状であり、３つの取付面を有し、
前記距離検知素子は３つ設けられており、３つの前記距離検知素子はそれぞれ前記回路基板の前記３つの取付面に設けられることを特徴とする請求項９に記載の距離警告装置。
【考案の詳細な説明】
【技術分野】
【０００１】
本考案は、距離警告板及び距離警告装置に関し、特に、一定のエリア範囲内で用いられることで好ましい安全保護効果を発揮することができる距離警告板及び距離警告装置に関する。
【背景技術】
【０００２】
従来の三角コーン（ロードコーン）は、常套的な安全警告装置であり、目立つ警告効果を有するだけでなく、設置に便利であること及び機動的に持ち運ぶことができることといった利点をも兼ね備えているため、人や車の往来のある場所に置かれたり、安全なエリアを確保するために地面に置かれるなど幅広く使用されており、人々に進入禁止を警告するエリア範囲を知らせて極力早く予防措置を取るよう警告したり注意を喚起するために、危険な場所又は警告環境エリア（例えば清掃又は工事などのエリア）の前の一定距離離れた箇所に設置される。
【０００３】
しかしながら、従来の三角コーンは、光反射又は発光装置が持続的に発する受動的警告を利用するに過ぎず、好ましい安全保護効果を発揮することができない。
【０００４】
更に、従来の三角コーンにおける発光装置は、固定式の構成が採用されており、三角コーンに固設される形態であるため、組み立てが不便であり、尚且つ実際の必要に応じて分離させて単独使用することができず、機能が制限されている。
【０００５】
また、従来の三角コーンは、ハードプラスチック材料を一体成形したものであるため、占有空間が大きく、收納及び持ち運びに不便であり、改善が待たれていた。
【０００６】
そこで、上述した欠点が改善可能であることに鑑みて、鋭意研究を行い学理を併せて運用した結果、上述した欠点を合理的且つ効果的に改善する方法として本考案の完成を見るに至った。
【考案の概要】
【考案が解決しようとする課題】
【０００７】
本考案は、好ましい安全保護効果を発揮することができる距離警告板及び距離警告装置を提供することを課題とする。
【０００８】
本考案はまた、より幅広い用途に用いることができるようにするために、組み立てに便利であると共に警告装置が実際の必要に応じて分離させて単独で使用できるように、モジュール化の構成とした距離警告板及び距離警告装置を提供することを課題とする。
【０００９】
本考案はまた、占有空間を節約することができ、收納及び持ち運びに便利である折り畳み式の構成を採用した距離警告板及び距離警告装置を提供することを課題とする。
【課題を解決するための手段】
【００１０】
上述した課題を解決するために、本考案に係る距離警告板は、板状本体と、板状本体に接続されており、枢支孔が形成されている枢支ホルダとをそれぞれ有する２つのフレームと、２つのフレームの枢支孔に枢設されるケーシングと、ケーシングの内部に設けられており、回路基板、距離検知素子、音声発生素子及び発光素子を含む回路ユニットとを含む警告装置と、を含み、回路基板は電源に電気的に接続され、距離検知素子、音声発生素子及び発光素子は回路基板に電気的に接続され、距離検知素子はケーシングに露出する。
【００１１】
上述した課題を解決するために、本考案に係る距離警告装置は、ケーシングと、ケーシングの内部に設けられており、回路基板、距離検知素子、音声発生素子及び発光素子を含む回路ユニットと、含み、回路基板は電源に電気的に接続され、距離検知素子、音声発生素子及び発光素子は回路基板に電気的に接続され、距離検知素子はケーシングに露出する。
【考案の効果】
【００１２】
本考案に係る距離警告板及び距離警告装置は、主として一定のエリア範囲内で用いられ、当該エリアが地面の清掃又は工事等の要因によって通行禁止である場合、歩行者が当該エリア範囲に進入した時、能動的に警告（例えば音や光）を発して、好ましい安全保護効果を発揮することができる。
【００１３】
本考案に係る距離警告板は、折り畳み式の構成を採用しており、使用しない場合は、２つのフレームを閉じ合せることで、距離警告板を扁平状の形にすることができるため、占有空間を節約することができ、收納及び持ち運びに便利である。
【００１４】
本考案に係る警告装置は、回転軸構造の作用を兼ね備えており、２つのフレームを一体に枢支接続することができる。警告装置は、より幅広い用途に用いることができるようにするために、モジュール化の構成を採用しており、組み立てに便利であると共に実際の必要に応じて分離させて単独で使用でき、単独で任意の位置に挿入したり置いたりすることができるため、好ましい安全保護効果を発揮することができる。
【図面の簡単な説明】
【００１５】
【図１】本考案の第１の実施例に係る距離警告板の分解状態を示す立体図である。
【図２】本考案の第１の実施例に係る距離警告板を組み立てた状態を示す立体図である。
【図３】本考案の第１の実施例に係る距離警告板の側面図である。
【図４】本考案の第１の実施例に係る距離警告板を折り畳んだ状態を示す側面図である。
【図５】本考案の第１の実施例に係る距離警告装置の局部構造を示す立体図である。
【図６】本考案の第２の実施例に係る距離警告装置を示す図である。
【図７】本考案の第３の実施例に係る距離警告装置を示す図である。
【図８】本考案の第４の実施例に係る距離警告装置を示す図である。
【図９】本考案の第５の実施例に係る距離警告装置の局部構造を示す図である。
【考案を実施するための形態】
【００１６】
本考案の特徴及び技術内容をより深く理解することができるように、以下、本考案について図面を参照しながら詳細に説明する。但し、これら図面は本考案を説明するために用いるものに過ぎず、本考案を何ら制限するものではない。
【００１７】
＜第１の実施例＞
図１乃至図５に示すように、本考案に係る能動的に警告（例えば音や光）を発することができる効果を奏する距離警告板は、２つのフレーム１及び一警告装置２を含む。
【００１８】
２つのフレーム１は、略対向する形状を呈してもよく、板状本体１１及び枢支ホルダ１２をそれぞれ有する。好ましくは、板状本体１１は矩形であるが、それに限定されず、例えば台形、三角形、円形又はその他各種形状を呈してもよい。板状本体１１の表面には、光反射による警告の効果を提供できるように光反射素子１３が設けられていてもよい。板状本体１１の底端両側近傍箇所は、下向きに凸出したスタンド１１１として形成されてもよい。
【００１９】
好ましくは、各フレーム１には、２つの枢支ホルダ１２が設けられる。但し、枢支ホルダ１２の数はこれに限定されず、実際の必要に応じて適宜増減することができる。枢支ホルダ１２は、板状本体１１の頂端に接続されてもよい。好ましくは、枢支ホルダ１２は、板状本体１１と一体成形である。枢支ホルダ１２の内部には、枢支孔１２１が形成されている。枢支孔１２１は円形孔であり尚且つ枢支ホルダ１２の両端まで貫通している。枢支孔１２１の内径寸法は限定されず、警告装置２の外径寸法に応じて変更することができる。
【００２０】
各フレーム１には、取っ手１４が更に設けられている。取っ手１４は、枢支ホルダ１２又は板状本体１１に接続されてもよい。本実施例において、取っ手１４は枢支ホルダ１２の頂端に接続される。フレーム１に取っ手１４が設けられることによって、使用者が把持するのに便利となり、本考案の距離警告板の携帯又は持ち運びに便利となる。
【００２１】
警告装置２は、図５に詳細に示すように、ケーシング２１及び回路ユニット２２を含む。ケーシング２１は、例えば中空円柱体といった中空柱体である。ケーシング２１は、２つのフレーム１の枢支孔１２１に枢設されるのに用いられる。これにより、警告装置２のケーシング２１を介して２つのフレーム１が一体に枢支接続される。
【００２２】
ケーシング２１は、一体成形又は組み合わせ式の構成としてもよい。本実施例において、ケーシング２１は組み合わせ式の構成である。即ち、ケーシング２１は、多段組み合わせの構造であってもよい。具体的には、ケーシング２１は、中間部２１１、２つの枢支部２１２及び２つの端部２１３が組み合わされることで構成される。中間部２１１は、２つの第１の半殻体２１１ａが組み合わされることで構成されてもよい。但し、中間部２１１は一体成形のケーシングであってもよく、その構造は限定されない。
【００２３】
枢支部２１２は、円柱状であり、枢支孔１２１に対応している。枢支部２１２は、２つの第２の半殻体２１２ａが組み合わされることで構成されてもよい。枢支部２１２も一体成形のケーシングであってもよく、その構造は限定されない。２つの枢支部２１２の一端は中間部２１１の両端に接続される。即ち、２つの枢支部２１２の一端は、係合接続、螺合接続又は接着結合等の方式により中間部２１１の両端に接続されることができる。本実施例において、２つの枢支部２１２の一端には、中間部２１１の両端の第２の係合接続部ｂに係合接続されるための第１の係合接続部ａが設けられている。
【００２４】
端部２１３は、中空のケーシングであり、透光部材を形成するように透光材質から成ってもよい。中間部２１１、枢支部２１２及び端部２１３の材質は限定されないが、通常、発光素子２２４に対応する部分は、透光材質から成り、又は発光素子２２４を露出するための対応する貫通孔が設けられる。２つの端部２１３の一端は、２つの枢支部２１２の他端に接続される。即ち、２つの端部２１３の一端は、係合接続、螺合接続又は接着結合等の方式により２つの枢支部２１２の他端に接続されることができる。本実施例において、２つの端部２１３の一端には、２つの枢支部２１２の他端の第２の螺合接続部ｄに螺合接続されるための第１の螺合接続部ｃが設けられている。
【００２５】
回路ユニット２２は、ケーシング２１内に設けられる。回路ユニット２２は、回路基板２２１、距離検知素子２２２、音声発生素子２２３及び発光素子２２４を含む。回路基板２２１は、ケーシング２１の中間部２１１又はその他の部位に設けられると共に、適切な電源２２５に電気的に接続される。電源２２５は、回路ユニット２２に必要な電力を供給することができる電池又は商用電源等であってもよい。本実施例において、電源２２５は電池であり、ケーシング２１の中間部２１１内に収容される。即ち、中間部２１１には、電源２２５を収容するための電池室２２８が延在形成されなければならない。
【００２６】
距離検知素子２２２、音声発生素子２２３及び発光素子２２４は、回路基板２２１に電気的に接続される。好ましくは、距離検知素子２２２は、赤外線センサ（ＰＩＲ  ｓｅｎｓｏｒ）又は超音波センサといった距離を判断することができる検知素子であるが、それに限定されない。好ましくは、距離検知素子２２２は２つ設けられ、それぞれ回路基板２２１の両面に設けられる。２つの距離検知素子２２２は、ケーシング２１の前側及び後側に露出する。各距離検知素子２２２の検知角度は、例えば円周１２０度であるが、それに限定されない。
【００２７】
好ましくは、音声発生素子２２３は２つ設けられ、それぞれ回路基板２２１の両面に設けられる。またケーシング２１の前側及び後側には、２つの音声発生素子２２３に対応する放音孔２１１ｂが設けられている。音声発生素子２２３は、電磁式ブザー等であってもよい。好ましくは、音声発生素子２２３は、少なくとも８５デシベルの音声を発するが、それに限定されない。
【００２８】
発光素子２２４は、発光ダイオード又は電球等の光源であってもよい。２つの発光素子２２４は、２つの端部２１３内に設けられる。好ましくは、発光素子２２４は、点滅警告灯であるが、それに限定されない。発光素子２２４が生成した光は、２つの端部２１３を透過して外部に射出される。発光素子２２４の一側には、光を反射して外部に投射するための反射板２２６が設けられてもよい。
【００２９】
回路ユニット２２は、回路基板２２１に電気的に接続されるボタンスイッチ２２７を更に含んでもよい。ボタンスイッチ２２７は、電源のオン及びオフ（ＯＮ／ＯＦＦ）を制御することができるように、ケーシング２１に設けられる。電源がオンされてから一定時間（例えば１０〜２０秒）後に、距離検知素子２２２が作動し始め、歩行者が設定範囲内に進入すると、音声発生素子２２３による音及び発光素子２２４による光によって警告が発せられる。歩行者が検知範囲を離れると、警告音及び光は同時に停止する。本考案の検知範囲としては、選択できるように３メートル、２メートル又は１メートル等の様々な距離を設定することができるが、検知範囲はそれらに限定されない。
【００３０】
警告装置２は、ケーシング２１の２つの枢支部２１２が２つのフレーム１の対応する枢支孔１２１に挿設されることで、ケーシング２１が２つのフレーム１の枢支孔１２１に組み付けられる。これにより、警告装置２のケーシング２１によって２つのフレーム１が枢支接続されることで、２つのフレーム１は、警告装置２のケーシング２１を回転軸として開いたり（図２及び図３に示す）又は閉じ合せたりする（図４に示す）ことができる。
【００３１】
本考案に係る距離警告板及び距離警告装置は、主として一定のエリア範囲内で用いられ、当該エリアが地面の清掃又は工事等の要因によって通行禁止である場合、歩行者が当該エリア範囲に進入した時、能動的に警告（例えば音や光）を発して、好ましい安全保護効果を発揮することができる。
【００３２】
本考案に係る距離警告板は、折り畳み式の構成を採用しており、使用しない場合は、２つのフレームを閉じ合せる（図４に示す）ことで、距離警告板を扁平状の形にすることができるため、占有空間を節約することができ、收納及び持ち運びに便利である。
【００３３】
＜第２の実施例＞
図６に示すように、本考案に係る警告装置２は、モジュール化の構成を採用すると共に、回転軸構造の作用を兼ね備えており、２つのフレーム１を一体に枢支接続することができる。警告装置２は、より幅広い用途に用いることができるようにするために、モジュール化の構成を採用しており、組み立てに便利であると共に実際の必要に応じて分離させて単独で使用でき、即ち単独で任意の位置に挿入したり置いたりすることができるため、好ましい安全保護効果を発揮することができる。
【００３４】
＜第３の実施例＞
図７に示すように、本実施例において、電源２２５は電池であり、ケーシング２１の枢支部２１２及び端部２１３内に収容される。電源２２５は、ケーシング２１の枢支部２１２又は端部２１３内のみに収容されてもよい。従って、中間部２１１に電池室２２８が延在形成される必要はないことから、上述した実施例における電池室２２８を省略することができる。
【００３５】
＜第４の実施例＞
図８に示すように、本実施例において、電源２２５は電池であり、ケーシング２１の中間部２１１内に収容される。即ち、中間部２１１には、電源２２５を収容するための柱状の電池室２２８が延在形成される。本実施例の電池室２２８は、より幅広い用途に用いることができるようにするために、ロードコーン３の頂部に挿入接続するのに用いられる柱状の挿入接続部として形成されてもよい。
【００３６】
＜第５の実施例＞
図９に示すように、本実施例において、回路ユニット２２の回路基板２２１は、三角柱状であり、３つの取付面ｅを有する。また回路ユニット２２は、回路基板２２１の３つの取付面ｅにそれぞれ設けられる３つの距離検知素子２２２を有する。本実施例では３つの距離検知素子２２２が設けられることにより、本考案に係る距離警告板及び距離警告装置は、検知角度が環状の３６０度を含み、より大きな検知角度を有して、死角が生じにくくなる。
【００３７】
上記は本考案の好ましい実施例に過ぎず、本考案の範囲を限定するものではない。従って、本考案の明細書及び図面の内容に基づいて為された均等の変更は、すべて本考案の範囲に含まれる。
【符号の説明】
【００３８】
１    フレーム
１１  板状本体
１１１  スタンド
１２  枢支ホルダ
１２１  枢支孔
１３  光反射素子
１４  取っ手
２    警告装置
２１  ケーシング
２１１  中間部
２１１ａ  第１の半殻体
２１１ｂ  放音孔
２１２  枢支部
２１２ａ  第２の半殻体
２１３  端部
２２  回路ユニット
２２１  回路基板
２２２  距離検知素子
２２３  音声発生素子
２２４  発光素子
２２５  電池
２２６  反射板
２２７  ボタンスイッチ
２２８  電池室
ａ    第１の係合接続部
ｂ    第２の係合接続部
ｃ    第１の螺合接続部
ｄ    第２の螺合接続部
ｅ    取付面
３    ロードコーン
【図１】
0003191379.tif 000003
【図２】
0003191379.tif 000004
【図３】
0003191379.tif 000005
【図４】
0003191379.tif 000006
【図５】
0003191379.tif 000007
【図６】
0003191379.tif 000008
【図７】
0003191379.tif 000009
【図８】
0003191379.tif 000010
【図９】
0003191379.tif 000011